(57)【要約】【課題】エアフレッシュナ機器についての技術を提供する。【解決手段】機器は、電極を含む挿入セクションを含んでもよい。電極は、電流を受け取って伝導するのに、及び機器を電源に固定するのに効果的であってもよい。機器はベースを含んでもよい。ベースは挿入セクションに取り付けられてもよい。ベースは、電流の少なくとも一部を電極から受け取るのに効果的なポートを含んでもよい。ベースは、香料が注入された材料から香料を放出するのに十分な熱を、電流の少なくとも一部が電極からカラーに供給された場合に加えるのに効果的なカラーを含んでもよい。機器はキャップを含んでもよい。キャップはリング形状の断面を有してもよく、キャップが接続された場合にポートがアクセス可能となるようにベースに接続可能であるような寸法及び形状を備えてもよい。【選択図】図１
2016030207.tif 000002
【特許請求の範囲】
【請求項１】
機器であって、該機器は、
挿入セクションであって、
第１の側及び第２の側と、
電流を受け取って伝導するのに効果的であり、前記挿入セクションの前記第１の側が電源に近接するように前記機器を前記電源に固定するのに更に効果的である、電極と
を含む、挿入セクションと、
ベースであって、前記ベースの第１の端が前記挿入セクションの前記第２の側に取り付けられ、
前記ベースの第２の端におけるポートであって、前記電流の少なくとも一部を前記電極から受け取るのに効果的である、ポートと、
前記ベースの前記第１の端と前記ベースの前記第２の端との間に位置付けられた、前記ベース内のカラーであって、香料が注入された材料から前記香料を放出するのに十分な熱を、前記電流の少なくとも一部が前記電極から前記カラーに供給された場合に加えるのに効果的である、カラーと、
を含む、ベースと、
キャップであって、前記キャップはリング形状の断面を有し、前記キャップが前記ベースに接続された場合に前記ポートがアクセス可能となるように前記ベースの前記第２の端の周囲で前記ベースに接続可能であるような寸法及び形状を備える、キャップと
を備える、機器。
【請求項２】
前記電極は、車両シガレットライターソケットの電極と位置合わせされて接続されるように構成される、請求項１に記載の機器。
【請求項３】
前記電極は、電気コンセント内の電極と位置合わせされて接続されるように構成される、請求項１に記載の機器。
【請求項４】
前記香料が注入された前記材料としては、液体オイル、ジェル、又は固体が含まれ、前記材料は平坦なリングの形状である、請求項１に記載の機器。
【請求項５】
前記キャップは、前記香料を分散するのに効果的な通気孔を含む、請求項１に記載の機器。
【請求項６】
前記ベースは、前記ベースの前記第２の側の上に突起を含み、
前記キャップは、前記ベースに前記キャップが固定されるように、前記突起にスナップ留めされるのに効果的である、
請求項１に記載の機器。
【請求項７】
前記ベースは、前記ベースの前記第２の側の上にねじ山を含み、
前記キャップは、前記ベースに前記キャップが固定されるように、前記ねじ山に螺合されるのに効果的である、
請求項１に記載の機器。
【請求項８】
前記電極は、車両シガレットライターソケットの電極と位置合わせされて接続されるように構成され、
前記香料が注入された前記材料は平坦なリングの形状の固体であり、
前記キャップは、前記香料を分散するのに効果的な通気孔を含む、
請求項１に記載の機器。
【請求項９】
前記ベースは、前記ベースの前記第２の側の上にねじ山を含み、
前記キャップは、前記ベースに前記キャップが固定されるように、前記ねじ山に螺合されるのに効果的である、
請求項８に記載の機器。
【請求項１０】
機器を組み立てる方法であって、前記方法は、
ベースの第２の端にキャップを取り付けることを含み、前記キャップはリング形状の断面を有し、香料が注入された材料をカラー及び前記ベースに固定するのに効果的であり、
前記ベースは前記ベースの前記第２の端においてポートを含み、前記カラーは前記ベースの第１の端と前記ベースの前記第２の端との間に位置付けられ、前記ベースの前記第１の端は挿入セクションの第２の側に接続され、
前記挿入セクションは、電流を受け取って伝導するのに効果的な電極を含み、前記電極は、前記挿入セクションの第１の側が電源に近接するように前記機器を前記電源に固定するのに更に効果的であり、
前記ポートは前記電流の少なくとも一部を前記電極から受け取るのに効果的であり、
前記カラーは、前記香料が注入された前記材料から前記香料を放出するのに十分な熱を、前記電流の少なくとも一部が前記電極から前記カラーに供給された場合に加えるのに効果的である、
方法。
【請求項１１】
前記電極は、車両シガレットライターソケットの電極と位置合わせされて接続されるように構成される、請求項１０に記載の方法。
【請求項１２】
前記電極は、電気コンセント内の電極と位置合わせされて接続されるように構成される、請求項１０に記載の方法。
【請求項１３】
前記香料が注入された前記材料としては、液体オイル、ジェル、又は固体が含まれ、前記材料は平坦なリングの形状である、請求項１０に記載の方法。
【請求項１４】
前記キャップは、前記香料を分散するのに効果的な通気孔を含む、請求項１０に記載の方法。
【請求項１５】
ロック機構を用いて前記ベースの前記第２の端に前記キャップを取り付けることを更に含み、前記ロック機構は前記ベースの前記第２の端からの突起を含み、前記キャップは、前記ベースに前記キャップが固定されるように、前記突起にスナップ留めされるのに効果的である、請求項１０に記載の方法。
【請求項１６】
ロック機構を用いて前記ベースの前記第２の端に前記キャップを取り付けることを更に含み、前記ロック機構は前記ベースの前記第２の端の上にねじ山を含み、前記キャップは、前記ベースに前記キャップを固定するために前記ねじ山に螺合される、請求項１０に記載の方法。
【請求項１７】
前記電極は、車両シガレットライターソケットの電極と位置合わせされて接続されるように構成され、
前記香料が注入された前記材料は平坦なリングの形状の固体であり、
前記キャップは、前記香料を分散するのに効果的な通気孔を含む、
請求項１０に記載の方法。
【請求項１８】
ロック機構を用いて前記ベースの前記第２の端に前記キャップを取り付けることを更に含み、前記ロック機構は前記ベースの前記第２の端の上にねじ山を含み、前記キャップは、前記ベースに前記キャップを固定するために前記ねじ山に螺合される、請求項１７に記載の方法。
【請求項１９】
前記電極は、電気コンセントと位置合わせされて接続されるように構成され、
前記香料が注入された前記材料は平坦なリングの形状の固体であり、
前記キャップは、前記香料を分散するのに効果的な通気孔を含む、
請求項１０に記載の方法。
【請求項２０】
材料から香料を放出する方法であって、前記方法は、
香料が注入された材料を、ベースの第１の端と前記ベースの第２の端との間に位置付けられたカラーの周囲に設置することを含み、前記ベースの前記第１の端は挿入セクションの第２の側に取り付けられ、前記挿入セクションは、電流を受け取って伝導するのに効果的な、かつ前記挿入セクションの第１の側が電源に近接するように機器を前記電源に固定するのに更に効果的な電極を含み、
前記ベースの前記第２の端にキャップを取り付けることを含み、前記キャップはリング形状の断面を有し、前記香料が注入された前記材料を前記カラー及び前記ベースに固定するのに効果的であり、
前記電極を前記電源に取り付けることを含み、
前記電極からの前記電流を前記カラーにおいて受け取ることを含み、
前記カラーは、前記香料が注入された前記材料から前記香料を放出するのに十分な熱を加えるのに効果的である、方法。
【発明の詳細な説明】
【技術分野】
【０００１】
本発明は、エアフレッシュナに関する。
【背景技術】
【０００２】
エアフレッシュナは好ましくない匂いを低減させるか又は隠し、心地よい匂いを放出する。エアフレッシュナは一般に、心地よい匂いを香料（ｆｒａｇｒａｎｃｅ）の形態で放出する。エアフレッシュナとしては、スプレー、キャンドル、オイル、ジェル、及びプラグ差し込み式の電気製品（ｐｌｕｇ−ｉｎｓ）が含まれる。
【発明の概要】
【発明が解決しようとする課題】
【０００３】
本発明は、エアフレッシュナ、その組み立て方法、及び材料から香料を放出する方法を提供することを課題とする。
【課題を解決するための手段】
【０００４】
一例では、エアフレッシュナ機器が一般的に記載される。機器は挿入セクションを含んでもよい。挿入セクションは第１の側と第２の側とを含んでもよい。挿入セクションは電極を含んでもよい。電極は、電流を受け取って伝導するのに効果的であってもよい。電極は、挿入セクションの第１の側が電源に近接するように、機器を電源に固定するのに更に効果的であってもよい。機器はベースを含んでもよい。ベースは第１の端を含んでもよい。ベースの第１の端は挿入セクションの第２の端に取り付けられてもよい。ベースの第２の端においてベースはポートを含んでもよい。ポートは、電流の少なくとも一部を電極から受け取るのに効果的であってもよい。ベースはカラーを含んでもよい。カラーはベース内にあってもよい。カラーはベースの第１の端とベースの第２の端との間に位置付けられてもよい。カラーは、香料が注入された材料から香料を放出するのに十分な熱を、電流の少なくとも一部が電極からカラーに供給された場合に加えるのに効果的であってもよい。機器はキャップを含んでもよい。キャップはリング形状の断面を有してもよい。キャップは、キャップがベースに接続された場合にポートがアクセス可能となるようにベースの第２の端の周囲でベースに接続可能であるような寸法及び形状を備えてもよい。
【０００５】
別の例では、機器を組み立てる方法が一般的に記載される。方法は、ベースの第２の端にキャップを取り付けることを含んでもよい。キャップはリング形状の断面を有してもよい。キャップは、香料が注入された材料をカラー及びベースに固定するのに効果的であってもよい。ベースの第２の端においてベースはポートを含んでもよい。カラーはベースの第１の端とベースの第２の端との間に位置付けられてもよい。ベースの第１の端は挿入セクションの第２の側に接続されてもよい。挿入セクションは、電流を受け取って伝導するのに効果的な電極を含んでもよい。電極は、挿入セクションの第１の側が電源に近接するように、機器を電源に固定するのに更に効果的であってもよい。ポートは電流の少なくとも一部を電極から受け取るのに効果的であってもよい。カラーは、香料が注入された材料から香料を放出するのに十分な熱を、電流の少なくとも一部が電極からカラーに供給された場合に加えるのに効果的であってもよい。
【０００６】
別の例では、材料から香料を放出する方法が一般的に記載される。方法は、香料が注入された材料をカラーの周囲に設置することを含んでもよい。カラーはベースの第１の端とベースの第２の端との間に位置付けられてもよい。ベースの第１の端は挿入セクションの第２の側に取り付けられてもよい。挿入セクションは、電流を受け取って伝導するのに効果的な電極を含んでもよい。電極は、挿入セクションの第１の側が電源に近接するように、機器を電源に固定するのに更に効果的であってもよい。方法は、ベースの第２の端にキャップを取り付けることを含んでもよい。キャップはリング形状の断面を有してもよい。キャップは、香料が注入された材料をカラー及びベースに固定するのに効果的であってもよい。方法は、電極を電源に取り付けることを含んでもよい。方法は、電極からの電流をカラーにおいて受け取ることを含んでもよい。カラーは、香料が注入された材料から香料を放出するのに十分な熱を加えるのに効果的であってもよい。
【０００７】
前述の概要は例示的なものにすぎず、決して限定することを意図するものではない。上述の例示的な態様、実施形態、及び特徴に加えて、更なる態様、実施形態、及び特徴が、図面及び以下の詳細な説明を参照することによって明らかになるであろう。
【０００８】
本開示の前述の及びその他の特徴は、以下の説明及び添付の特許請求の範囲を添付の図面と組み合わせて参照することによってより完全に明らかになるであろう。これらの図面は本開示によるいくつかの実施形態を示すものにすぎず、従って本開示の範囲を限定するものとみなされるべきではないということが理解された上で、全てが本発明の一実施形態によるものである添付の図面を参照して、本開示について更に具体的かつ詳細に説明する。
【図面の簡単な説明】
【０００９】
【図１】エアフレッシュナの側面図である。
【図２】金属端子を有するエアフレッシュナの側面図である。
【図３】金属端子を有するエアフレッシュナの後面図である。
【図４】エアフレッシュナの２つのポートを示す前面図である。
【図５】エアフレッシュナの本体、ディスク、及びキャップエンクロージャを示す傾斜側面斜視図（ａｎｇｌｅｄ  ｓｉｄｅ  ｐｅｒｓｐｅｃｔｉｖｅ  ｖｉｅｗ）である。
【発明を実施するための形態】
【００１０】
以下の詳細な説明では、その一部を形成する添付の図面を参照する。文脈によって特に示されない限り、図面において、同様の符号は一般に同様の構成要素を示す。詳細な説明、図面、及び特許請求の範囲において記載する例示的実施形態は、限定することを意図するものではない。他の実施形態が利用されてもよく、本明細書中で提示される主題の精神又は範囲から逸脱することなく他の変更が行われてもよい。本明細書中に一般的に記載され添付の図面に示される本開示の態様は、多種多様な異なる構成に配置、置換、組み合わせ、分離、及び／又は設計され得、それらの全ては本明細書中で明確に企図されるということが容易に理解されるであろう。
【００１１】
図１は、本発明の一実施形態によるエアフレッシュナの側面図である。エアフレッシュナ１０２は、外部セクション１３２に接続された挿入セクション１３０を含む本体１１２を含んでもよい。本体１１２の挿入セクション１３０は円筒形状を有してもよく、第１及び第２の端を有してもよい。挿入セクション１３０は、第１の端から軸方向に延在するアノード電極１０４を含んでもよい。挿入セクション１３０の第２の端は外部セクション１３２に接続されてもよい。挿入セクション１３０は、挿入セクション１３０の側面から半径方向に延在するカソード電極１０６を含んでもよい。アノード電極１０４とカソード電極１０６とを含む挿入セクション１３０は、車両シガレットライターソケットなどのシガレットライターソケットにエアフレッシュナ１０２が差し込まれて、アノード電極１０４及びカソード電極１０６がそれぞれ車両シガレットライターソケットの電極と位置合わせされて接続され得るように配置されてもよい。車両シガレットライターソケットによって供給される電流は直流であってもよく、１２ボルトであってもよい。
【００１２】
外部セクション１３２は実質的に半球形であってもよく、キャップ１１６とベース１３４とを含んでもよい。外部セクション１３２はベース１３４において挿入セクション１３０に軸方向に接続されてもよい。ベース１３４は、挿入セクション１３０より実質的に大きな半径を有する実質的な円筒形状であってもよい。ベース１３４は第１及び第２の側を有してもよく、平坦なエッジ又はテクスチャー加工されたエッジを含むかあるいは滑らかであってもよい。ベース１３４は、ベース１３４の第１の側において軸方向で半径がわずかに先細りしてもよい。ベース１３４の第１の側は挿入セクション１３０の第２の側に取り付けられてもよい。キャップ１１６は、ベース１３４の第２の側においてベース１３４から軸方向に延在してもよい。キャップ１１６は実質的に半球形であってもよく、滑らかであってもよく、軸方向に沿ってベース１３４から離れるにつれて半径が先細りしてもよい。キャップ１１６は、キャップ１１６の中央において開口部を規定するリング形状の断面を有してもよく、キャップ１１６がベース１３４に接続された場合にベース１３４の第２の端は露出されてもよい。キャップ１１６は通気孔１１０を含んでもよい。通気孔１１０は、キャップ１１６の内部とキャップ１１６の外部との間で空気が流れるのを許可することが可能な、格子付き、溝付き、網付き、又は任意のその他の通気孔構成であってもよい。
【００１３】
図２は、本発明の一実施形態による、金属端子を有するエアフレッシュナ１０２の側面図である。明確にするために、図１の構成要素と同一にラベル付けされた図２内の構成要素については再度説明することはしない。別の実施形態では、挿入セクション１３０は、ベース１３４から軸方向に延在する金属プロング又は端子である電極１４０を含んでもよい。金属端子１４０は、エアフレッシュナ１０２が電気ソケットに差し込まれ得るように配置されてもよい。金属端子１４０は、電気ソケットに差し込まれた場合にエアフレッシュナ１０２を電気ソケットに固定し得る。金属端子１４０が電気ソケットに差し込まれた場合、電流が金属端子１４０に、及び続いてエアフレッシュナ１０２に供給されてもよい。
【００１４】
図３は、本発明の一実施形態による、金属端子を有するエアフレッシュナ１０２の後面図である。明確にするために、図１〜図２の構成要素と同一にラベル付けされた図３内の構成要素については再度説明することはしない。挿入セクション１３０内の金属端子１４０は格納式であってもよい。金属端子１４０は、ベース１３４の第１の側の表面に対して垂直な位置からベース１３４の第１の側の表面に対して平行な位置まで９０度折り畳むことが可能であってもよい。端子１４０が、ベース１３４の第１の側の表面に平行に折り畳まれた場合に、ベース１３４の第１の側の表面内に引っ込み得るように、ベース１３４の表面に溝１４２が存在してもよい。ベース１３４の第１の側の表面内に引っ込められた場合、金属端子１４０はベース１３４の第１の側内に完全に没してもよい。
【００１５】
図４は、本発明の一実施形態によるエアフレッシュナ１０２の２つのポートを示す前面図である。明確にするために、図１〜図３の構成要素と同一にラベル付けされた図４内の構成要素については再度説明することはしない。エアフレッシュナ１０２は、ポート１０８と格子付きの通気孔１１０とを含んでもよい。ポート１０８はベース１３４の第２の側内に含まれてもよく、格子付きの通気孔１１０はキャップ１１６内に含まれてもよい。ポート１０８はユニバーサルシリアルバス（ＵＳＢ）ポートであってもよく、キャップ１１６がベース１３４に取り付けられた場合にアクセス可能であってもよい。キャップ１１６はリング形状の断面を有してもよく、キャップ１１６が接続された場合にポート１０８がアクセス可能となるようにベース１３４の第２の端の周囲でベース１３４に接続可能であるような寸法及び形状を備えてもよい。一実施形態では、車両シガレットライターソケットの電極に接続された場合の（図１に示す）アノード電極１０４及びカソード電極１０６からの電流によって、ポート１０８は電力を供給されてもよい。別の実施形態では、電気ソケットに接続された場合の（図２〜図３に示す）金属端子１４０からの電流によって、ポートは電力を供給されてもよい。以下により詳細に説明するように、キャップ１１６内の通気孔１１０は、エアフレッシュナ１０２から香料が流れることを可能にし得る。
【００１６】
図５は、本発明の一実施形態によるカーエアフレッシュナ１０２の本体、ディスク、及びキャップエンクロージャを示す傾斜側面斜視図である。明確にするために、図１〜図４の構成要素と同一にラベル付けされた図５内の構成要素については再度説明することはしない。エアフレッシュナ１０２は挿入セクション１３０とベース１３４とディスク１１４とキャップ１１６とを含んでもよい。挿入セクション１３０はアノード電極１０４とカソード電極１０６とを含んでもよく、ベース１３４に取り付けられてもよい。ベース１３４はＵＳＢポート１０８とカラー１１８とを含んでもよい。車両シガレットライターソケットによって供給される電流は、電極カソード１０６から電極アノード１０４に進んでＵＳＢポート１０８に電力を供給してもよい。
【００１７】
ディスク１１４は、香料が注入された液体オイル、ジェル、又は固体材料であってもよい。香料は、フルーツの香り、新車の匂いなどを含む任意の望ましい香料であってもよい。ディスク１１４は平坦なリングの形状であってもよく、カラー１１８の周囲に嵌合してもよい。カラー１１８は、車両シガレットライターソケットによって供給される電流が電極カソード１０６から電極アノード１０４に進む場合に加熱されてもよい。車両シガレットライターソケットによって供給される電流によるカラー１１８の加熱によって、香料がディスク１１４から放出され得る。
【００１８】
キャップ１１６がベース１３４に取り付けられる場合、キャップ１１６は、カラー１１８及びベース１３４にディスク１１４を固定してもよい。キャップ１１６はベース１３４に取り付けられ、ロック機構１２０によってベース１３４に固定されてもよい。ロック機構１２０は、ベース１３４に固定されるようキャップ１１６がスナップ留めされ得るベース１３４からの突起などによって、キャップ１１６をベース１３４に固定してもよい。ロック機構１２０は、ベース１３４に固定されるようキャップ１１６が螺合されるベース１３４上のねじ山などによって、キャップ１１６をベース１３４に固定してもよい。ディスク１１４の加熱によって放出される香料は、キャップ１１６内の通気孔１１０を通して分散して、エアフレッシュナ１０２に近接する空気を清新にし得る。
【００１９】
例えば、挿入セクション１３０は、アノード電極１０４及びカソード電極１０６が車両シガレットライターソケット内の電極と位置合わせされるように、車両シガレットライターソケット内に設置されてもよい。電流は、車両シガレットライターソケットからカソード電極１０６に、そしてエアフレッシュナ１０２回路を通ってアノード電極１０４に進み、車両シガレットライターソケットに戻ってもよい。電流は直流であってもよく、１２ボルトであってもよい。エアフレッシュナ１０２回路はＵＳＢポート１０８に電流を供給するように構成されてもよい。ＵＳＢポート１０８は、接続されたＵＳＢケーブルに取り付けられた機器に電力を供給するため及び／又はそれらの機器を充電するために、接続されたＵＳＢケーブルに電力を供給するよう機能してもよい。エアフレッシュナ１０２回路は、ベース１３４内のカラー１１８を加熱するための電流を供給するように更に構成されてもよい。カラー１１８は、カソード電極１０６からアノード電極１０４に電流が進む際に、電流によって加熱されてもよい。電流によって加熱されたカラー１１８は、カラー１１８の周囲に位置付けられてキャップ１１６によって固定されたディスク１１４に熱を伝導してもよい。ディスク１１４の加熱によって、ディスク１１４の材料内に注入された香料が放出され得る。放出された香料は空気中に拡散し得る。拡散した香料を有する空気は通気孔１１０を通して分散して、エアフレッシュナ１０２に近接する空気に香料を供給し得る。
【００２０】
他の潜在的利点の中でも特に、本開示による機器は所望の香料を車両内に供給し得、同時に、動作可能なＵＳＢポートを使用のために提供し得る。１つのシガレットライターソケットを有する車両では、１つのソケットを２つ以上の目的のために利用することが可能となり得る。グローバルポジショニング装置（ＧＰＳ）、携帯電話充電器、メディアプレーヤなどの複数の機器がＵＳＢポートに取り付けられ得、同時に車両の空気が清新にされ得る。
【００２１】
様々な態様及び実施形態を本明細書中で開示したが、その他の態様及び実施形態は当業者にとって明らかであろう。本明細書中で開示した様々な態様及び実施形態は例示の目的のためのものであり、限定することを意図するものではなく、真の範囲及び精神は特許請求の範囲によって示される。
【図１】
2016030207.tif 000003
【図２】
2016030207.tif 000004
【図３】
2016030207.tif 000005
【図４】
2016030207.tif 000006
【図５】
2016030207.tif 000007